(57)【要約】【課題】屋内に侵入したカメムシ等の害虫を、悪臭を防ぎながら効率良く捕集し駆除することのできる、丈夫で、軽くて使い易い、安価な害虫捕集具を提供する。【解決手段】ペットボトルの底部を切除した無底筒状成形物１１に管継手１２を嵌合固着して捕捉部材１０とし、ペットボトルを使用した有底筒状成形物２１に管継手２２を嵌合固着したものを収容部材２０として、呼び径２０のＨＩＶＰ管からなる長さ約８０ｃｍの接続管３０の両端に着脱自在に装着し、捕捉部材１０を上に向けて天井面や壁面に留まっている害虫を捕捉して収容部材２０内へ落とし込み、捕集後は収容部材２０を取り外して処理できるよう、害虫捕集具１００を構成する。【選択図】図１
0003211672.tif 000002
【実用新案登録請求の範囲】
【請求項１】
一端が全面開放され他端に向けて漏斗状に縮径して円筒状の口部に連通する形状の無底筒状成形物の前記口部に管継手が嵌合固着されてなる捕捉部材と、一端が全面封鎖され他端に向けて漏斗状に縮径して円筒状の口部に連通する有底筒状成形物の前記口部に他の管継手が嵌合固着されてなる収容部材と、一端に前記捕捉部材の管継手を着脱自在に装着可能で他端に前記収容部材の管継手を着脱自在に装着可能な接続管とからなり、前記接続管の一端に前記捕捉部材の管継手を装着するとともに該接続管の他端に前記収容部材の管継手を装着して一体化する構成としたことを特徴とする害虫捕集具。
【請求項２】
前記無底筒状成形物として底部を切除したペットボトルの容器本体が使用され、前記有底筒状成形物としてペットボトルの容器本体が使用され、前記捕捉部材および前記収容部材のそれぞれの菅継手として水道用硬質ポリ塩化ビニル管継手が使用され、前記接続管として水道用硬質ポリ塩化ビニル管が使用され、前記捕捉部材の無底筒状成形物の口部に前記管継手が嵌合固着され、前記収容部材の有底筒状成形物の口部に前記他の管継手が嵌合固着されたことを特徴とする請求項１記載の害虫捕集具。
【考案の詳細な説明】
【技術分野】
【０００１】
本考案は、屋内に侵入したカメムシ等の害虫を捕集し駆除するのに使用する害虫捕集具に関する。
【背景技術】
【０００２】
カメムシは、日本全国に生息しており、秋になると越冬のために家屋周辺に集まり、特に山間部では、屋内に多数侵入し、悪臭を放つ。しかし、従来、屋内に侵入したカメムシの駆除は容易なことではなかった。
【０００３】
カメムシは危険を感じる悪臭のある分泌物を出すため、手で掴んだり、ピンセット等の器具で掴んだり、ティシュペーパーを被せたり、ガムテープを張り付けたりして捕獲するのは容易でない。悪臭は、手や衣類に付くと、洗ってもなかなか取れない。また、市販の殺虫剤、凍結スプレー、くん煙剤等を使用して駆除するのは、費用や衛生面に問題があり、効果も限定的である。
【０００４】
また、ペットボトルを利用したものも従来から様々提案されており、例えば、ペットボトルを２個、口部を向け合わせて、両端に雌ネジを設けたパイプで接続し、一方のペットボトルの底面を開放して捕集口としたカメムシ捕集器が知られている（特許文献１参照。）。しかし、このカメムシ捕集器は、ペットボトルの口部に螺合させる雌ネジを設けた丈夫で軽いパイプを作成する必要があり、そのようなパイプを専用に安価に作成することは難しい。また、捕集後のカメムシを処理する際は、ペットボトルをパイプから取り外さないと、長すぎて作業しづらいし、ペットボトルを取り外すと、ペットボトル内の口からカメムシが逃げ出す恐れがあるほか、カメムシが間近過ぎて不快であり、悪臭も漏れ易い。
【先行技術文献】
【特許文献】
【０００５】
【特許文献１】実用新案登録第３０８９７８３号公報
【考案の概要】
【考案が解決しようとする課題】
【０００６】
このように、屋内に侵入したカメムシを、手やピンセット等の器具で掴んで捕獲したり、ティシュペーパーやガムテープを使用して捕獲したり、殺虫剤、凍結スプレー、くん煙剤等を使用して駆除するのは、容易なことではない。また、従来提案されているペットボトルを利用したカメムシ捕集器は、接続用の雌ネジを設けた丈夫で軽いパイプを安価に作成するのが難しく、また、捕集後のカメムシを処理する際に、作業しづらかったり、カメムシが逃げ出したり、カメムシが間近過ぎて不快であったり、悪臭が漏れ易かったりといった問題がある。
【０００７】
本考案は、こうした問題を解消し、屋内に侵入したカメムシ等の害虫を、悪臭を防ぎながら効率良く捕集し駆除することのできる、丈夫で、軽くて使い易い、安価な害虫捕集具を提供することを目的とする。
【課題を解決するための手段】
【０００８】
本考案の害虫捕集具は、飲料用のペットボトル容器本体等の底部を切除してなる、一端が全面開放され他端に向けて漏斗状に縮径して円筒状の口部に連通する形状の無底筒状成形物の口部に、水道用硬質ポリ塩化ビニル管継手などの管継手を嵌合固着したものを、カメムシ等の害虫を採り込む捕捉部材とし、飲料用のペットボトル容器本体等の、一端が全面封鎖され他端に向けて漏斗状に縮径して円筒状の口部に連通する有底筒状成形物の口部に、他の水道用硬質ポリ塩化ビニル管継手などの管継手を嵌合固着したものを、補足した害虫を収容する収容部材として、それら捕捉部材と収容部材を、水道用硬質ポリ塩化ビニル管等からなる接続管により、該接続管の一端に捕捉部材の管継手を着脱自在に装着し他端に収容部材の管継手を着脱自在に装着することにより接続し、それら捕捉部材と収容部材と接続管とを取り外し自在に一体化するよう構成したもので、構造がシンプルであり、丈夫で、軽くて使い易く、安価なものとすることが容易である。
【０００９】
この害虫捕集具は、捕捉部材と収容部材を接続管に装着して一体化し、接続管の部分を手に持って、捕捉部材を上に向け、ペットボトルの容器本体等の切除されて開放されてなる先端開口部を、屋内高所に留まったり這ったりしているカメムシ等の害虫を取り囲むようにあてがって、採取し、接続管を通して収容部材のペットボトル容器本体等の底部まで落とし込むようにする。
【００１０】
その際、天井面に留まったり這ったりしているカメムシ等の害虫は、捕捉部材をほぼ真上に向けて、先端開口部がカメムシ等の害虫を取り囲むように天井面にあてがい、そのまま少し横にずらす。そうすることで、それら害虫は天井面から離れて捕捉部材の内部に落ち、そのまま収容部材の底まで落下する。
【００１１】
また、壁面に留まったり這ったりしているカメムシ等の害虫は、捕捉部材を斜め上に向けて、先端開口部がカメムシ等の害虫を斜め下から取り囲むようにして壁面にあてがい、そのまま少し上にずらす。そうすることで、それら害虫は壁面から離れ、捕捉部材の内部に落ちる。そして、捕捉された害虫は、捕捉部材を上に向けて接続管を立てると、収容部材の底まで落下する。特に、捕捉部材の無底筒状成形物がペットボトルのような柔軟な成形物であると、先端開口部が壁面に対して垂直にならない場合でも、壁面に押し付けることで容易に変形するため、壁面との接触部分を害虫の下側で広げることができ、そのまま上にずらして捕捉することが容易である。
【００１２】
捕集したカメムシ等の害虫は、収容部材を接続管から取り外して処理する。例えば、水、石鹸水、洗剤、殺虫液等を注入して駆除する。こうして、捕集後は収容部材を接続管から取り外して処理するので、作業が容易である。また、接続管から取り外した収容部材は、ペットボトル等の有底筒状成形物の口部に管継手が繋がったものであるため、カメムシ等の害虫は逃げ出し難く、また、管継手の部分を持つようにすれば、カメムシ等は手元から離れるので、不快であったり、悪臭が気になるといったことが少ない。
【００１３】
こうして、屋内に侵入したカメムシ等の害虫を、悪臭を防ぎながら効率良く捕集して駆除することができ、同様にして、ゴキブリ、ムカデ、毛虫等の他の害虫も駆除することができる。
【００１４】
ペットボトル等の容器本体を使用する捕捉部材の無底筒状成形物や、収容部材の有底筒状成形物は、容器本体胴部が円形（丸型ペットボトル等）であってよく、方形（角型ペットボトル）であってもよい。捕捉部材の無底筒状成形物として、角型ペットボトルのように方形のものを使用すると、先端開口部が方形であるため、天井面や壁面の角部に留まっている害虫を捕捉し易い。
【００１５】
それら無底および有底の成形物は、いずれも、軽くて丈夫で柔軟性があり、且つ、安価に調達できるものがよく、飲料や洗剤等が入っていたペットボトルやその他のペットボトルのリサイクル品が最適である。捕集された害虫を見え難くするために、ラベルが付されたペットボトルをそのまま使用するのもよい。また、ポリエチレンテレフタレート（ＰＥＴ）等を材料として専用に作ることもできる。
【００１６】
捕捉部材の無底筒状成形物の形状は、漏斗状の部分が緩やかな角度で縮径する形状である方が、捕捉した害虫を収容部材へ向けてスムーズに落とし込むのに有利である。それに対し、収容部材の有底筒状成形物の形状は、漏斗状の部分が急角度で縮径する形状である方が、収容した害虫を逃がさないようにするのに有利である。
【００１７】
飲料用等の通常のペットボトルは、口部ネジ山部分の外径寸法が、ＪＩＳ  Ｋ  ６７４２の呼び径２０の水道用硬質ポリ塩化ビニル管の外径寸法とほぼ等しい。そのため、ＪＩＳ  Ｋ  ６７４３の呼び径２０の水道用硬質ポリ塩化ビニル管継手の一端側をバーナー等で加熱して熱膨張させれば、ペットボトルの口部にねじ込むことができ、冷却後は、ペットボトルの口部と管継手とが溶着状態で嵌合固着したものとなる。そして、そのようにしてペットボトルと一体化した管継手には、呼び径２０の水道用硬質ポリ塩化ビニル管を着脱自在に装着できる。
【００１８】
ＨＩＶＰ等の水道用硬質ポリ塩化ビニル管は、内面が平滑で摩擦抵抗が小さいため、多くの流量を確保でき、スケールの付着がなく、いつまでも効率よく通水でき、弾性に富み、機械的強度に優れており、軽量で取扱いやすく、安価であるなどの特徴があり、水道の配管として多用されている。これらの特徴は、そのまま、カメムシ等の害虫を捕捉する捕捉部材と、捕捉した害虫を収容する収容部材とを接続するための接続管として最適である。また、ペットボトルを使用すると、呼び径２０のＨＩＶＰ等をそのまま使用でき、丈夫で、軽くて使い易い、安価な捕集具を提供できる。
【考案の効果】
【００１９】
以上の説明から明らかなように、本考案によれば、屋内に侵入したカメムシ等の害虫を、悪臭を防ぎながら効率良く捕集し駆除することのできる、丈夫で、軽くて使い易い、安価な害虫捕集具を提供することができる。
【図面の簡単な説明】
【００２０】
【図１】本考案の実施形態の一例の害虫捕集具の全体外観図である。
【図２】本考案の実施形態の一例の害虫捕集具の分解詳細図である。
【考案を実施するための形態】
【００２１】
図１および図２は本考案の実施形態の一例を示している。この実施形態の害虫捕集具１００は、カメムシ等の害虫を採り込む捕捉部材１０と、捕捉した害虫を収容する収容部材２０とを、接続管３０の両端にそれぞれ着脱自在に装着し、図１に示すように一体化するよう構成したものである。捕捉部材１０と、収容部材２０は、図２に示すように、接続管３０から取り外し自在である。
【００２２】
捕捉部材１０は、飲料用のペットボトルの容器本体の底部を切除して、一端が全面開放され他端に向けて漏斗状に縮径して円筒状の口部に連通する形状の無底筒状成形物１１を形成し、その口部に管継手１２を嵌合固着したものであり、収容部材２０は、飲料用のペットボトルの容器本体を、一端が全面封鎖され他端に向けて漏斗状に縮径して円筒状の口部に連通する有底筒状成形物２１として使用し、その口部に他の管継手２２を嵌合固着したものである。
【００２３】
捕捉部材１０に使用するペットボトルの容器本体は、胴部から口部への移行がなだらかで、底部を切除することにより、漏斗状の部分が緩やかな角度で縮径する形状の無底筒状成形物となるもの使用されている。一方、収容部材２０に使用するペットボトルの容器本体は、胴部から口部への移行が急角度で、漏斗状の部分が急角度で縮径する形状の有底筒状成形物となるものが使用されている。使用するペットボトルは、丸型の場合の容器本体の胴部直径５ｃｍ〜８ｃｍ程度のものがよい。
【００２４】
管継手１２、２２は、ＪＩＳ  Ｋ  ６７４２に規定する水道用硬質ポリ塩化ビニル管の主として接着接合に用いられるもので、ＪＩＳ  Ｋ  ６７４３の呼び径２０の硬質ポリ塩化ビニル管継手（外径３３ｍｍ、長さ７７ｍｍ）である。呼び径２０の水道用硬質ポリ塩化ビニル管継手の一端側をバーナーで２〜３分加熱して、２００〜３００℃で熱膨張させ、ペットボトルの口部をねじ込む。そして、自然冷却させれば、ペットボトルの口部と管継手とが溶着状態で嵌合固着する。
【００２５】
接続管３０は、ＪＩＳ  Ｋ  ６７４２に規定する水道用硬質ポリ塩化ビニル管で、呼び径２０のＨＩＶＰ（内径２０ｍｍ、外径２６．０ｍｍ、厚さ３．０ｍｍ、長さ４０００ｍｍ、質量０．３０３ｋｇ／ｍ）を、長さ約８０ｃｍに切断したものである。この接続管３０は、捕捉部材１０の管継手１２に着脱自在であり、収容部材２０の管継手２２に着脱自在である。捕捉部材１０は管継手１２に接続管３０を挿し込むことで固定できる。そして、接続管３０から引き抜いて容易に取り外せる。また、収容部材２０は管継手２２に接続管３０を挿し込むことで固定でき。そして、接続管３０から引き抜いて容易に取り外せる。接続管３０の長さは任意であるが、６０ｃｍ〜１００ｃｍがよく、８０ｃｍが特に使いやすい。
【００２６】
この害虫捕集具１００は、捕捉部材１０と収容部材２０とを接続管３０に装着し、接続管の下部を手で掴んで捕捉部材１０を上に向け、ペットボトルの本体容器の底部が切除されてなる無底筒状成形物１１の先端開口部Ａを、屋内高所に留まったり這ったりしているカメムシ等の害虫を取り囲むようにあてがって、採取し、接続管３０を通して、収容部材２０の無底筒状成形物１１（ペットボトル）の底部Ｂまで落とし込む。
【００２７】
その際、天井面に留まったり這ったりしているカメムシ等の害虫は、捕捉部材１１をほぼ真上に向けて、先端開口部Ａがカメムシ等の害虫を取り囲むように天井面にあてがい、そのまま少し横にずらす。そうすることで、それら害虫は天井面から離れて捕捉部材の内部に落ち、そのまま収容部材の底まで落下する。
【００２８】
また、壁面に留まったり這ったりしているカメムシ等の害虫は、捕捉部材１０を斜め上に向けて、先端開口部Ａがカメムシ等の害虫を斜め下から取り囲むようにして壁面にあてがい、そのまま少し上にずらす。そうすることで、それら害虫は壁面から離れ、捕捉部材１０の内部に落ちる。そして、捕捉された害虫は、捕捉部材１０を上に向けて接続管３０を立てると、収容部材２０の有底筒状成形物２１（ペットボトル）の底部Ｂまで落下する。
【００２９】
ペットボトルは柔軟性があるため、先端開口部Ａが壁面に対して垂直にならない場合でも、壁面に押し付けて変形させ、壁面との接触部分を害虫の下側で広げることができ、そのまま上にずらして捕捉することができる。
【００３０】
捕集したカメムシ等の害虫は、収容部材２０を接続管３０から取り外して処理する。例えば、水、石鹸水、洗剤、殺虫液等を注入して駆除する。
【００３１】
こうして、屋内に侵入したカメムシ等の害虫を駆除する。カメムシの他、ゴキブリ、ムカデ、毛虫等の駆除にも使用できる。
【００３２】
捕捉部材１０の無底筒状成形物１１や収容部材２０の有底筒状成形物２１として使用するペットボトルの容器本体は、本体胴部が円形（丸型ペットボトル等）であってよく、方形（角型ペットボトル）であってもよい。捕捉部材１０の無底筒状成形物１１として、角型ペットボトルのように方形のものを使用すると、先端開口部Ａが方形であるため、天井面や壁面の角部に留まっている害虫を捕捉し易い。
【００３３】
使用するペットボトルは、飲料用のペットボトルの他、洗剤等が入っていたペットボトルやその他のペットボトルのリサイクル品であってよい。また、捕集された害虫を見え難くするために、ラベルが付されたペットボトルをそのまま使用するのもよい。
【００３４】
以上、実施の形態の一例について説明したが、本考案はこれに特定されるものではなく、様々な態様で実施することができる。
【００３５】
例えば、捕捉部材１０の無底筒状成形物１１や収容部材２０の有底筒状成形物２１は、ポリエチレンテレフタレート（ＰＥＴ）等を材料として専用に作ることもできる。但し、ペットボトルのリサイクル品は安価に入手でき、その容器本体の口部には、呼び径２０の硬質ポリ塩化ビニル管継手を容易に嵌合固着させることができ、捕捉部材１０および収容部材２０を軽量で安価なものとすることができ、ＨＩＶＰ等の水道用硬質ポリ塩化ビニル管を接続管３０に使用して、丈夫で、軽くて使い易い、安価な害虫捕集具とすることができる。
【００３６】
接続管３０として、水道用硬質ポリ塩化ビニル管以外の管を使用することも可能である。ただし、ＨＩＶＰ等の水道用硬質ポリ塩化ビニル管は、内面が平滑で摩擦抵抗が小さく、弾性に富み、丈夫で、軽量で取扱いやすく、安価であり、接続管として最適である。
【符号の説明】
【００３７】
１００  害虫捕集具
１０  捕捉部材
１１  無底筒状成形物（ペットボトル）
Ａ  先端開口部
１２  管継手
２０  収容部材
２１  有底筒状成形物（ペットボトル）
Ｂ  底部
２２  管継手
３０  接続管
【図１】
0003211672.tif 000003
【図２】
0003211672.tif 000004